(57)【要約】【課題】  本発明は紙幣等有価証券の束を集積する機械および方法に関する。【解決手段】  この機械は、証券の束を集積するマガジン（３）を第１及び第２回転ドラム（１、２、１１、１２）に交互に供給する少なくとも一つの配送ライン（１５、１６）を含み、各前記マガジン（３）はリング（１７）を介して可動する底部（１８）を有する。この機械は、各ドラムの各マガジンの個別底部の独立移動を行って、各マガジンの底部の位置がリングとは別個にそれぞれ設定できるようにした付加的作動機構（２０、２１、２２）を含む。【選択図】      図４
2006001746.tif 000002
【特許請求の範囲】
【請求項１】
通し番号を付けた有価証券等の証券束（４、１４）を集積する機械であって、前記証券の束を集積するマガジン（３、１３、２６、２７）を有する第１及び第２回転ドラム（１、２、１１、１２）に交互に供給する少なくとも一つの配送ライン（５、６、１５、１６）を含み、
各前記マガジン（３、１３、２６、２７）はリング（７、１７、１７′）を介して可動する底部（１８、１８′）を有し、
リング（７、１７、１７′）は、前記ドラムの各マガジンの底部が同一位置になるように前記底部を等位移動させる構成であり、
前記機械は、各前記回転ドラム（１１、１２）の各マガジン（３、１３、２６、２７）の底部（１８、１８’）の独立移動を可能にして、各前記マガジン（３、１３、２６、２７）の底部（１８、１８′）の位置を前記リング（１７、１７′）とは独立に個別に設定するように構成された作動機構（２０、２１、２２、２３）を更に含む、集積機。
【請求項２】
前記作動機構は、ベルト（２１）を介してプッシャ（２２、２３）を作動させる少なくとも一つのモーター（２０）を含み、前記プッシャ（２２、２３）は前記マガジン（３、１３、２６、２７）の底部（１８、１８′）と共働し、前記ベルト（２１）を介してプッシャ（２２、２３）を移動することにより前記ドラムのマガジン（３、１３、２６、２７）の底部（１８、１８′）を移動させるように構成されている、請求項１に記載の集積機。
【請求項３】
各ベルト（２１）を介して各プッシャ（２２、２３）をそれぞれが駆動する二つのモーター（２０）を含み、それぞれのキャリアとベルトを有する一方のモーターは前記第１回転ドラムのマガジンの底部を駆動し、それぞれのキャリアとベルトを有する他方のモーターは前記第２回転ドラムのマガジンの底部を駆動するように構成されている、請求項２に記載の集積機。
【請求項４】
前記プッシャ（２２、２３）は、スリット（３７、３８）を有するガイド機構（３６）に装着されている、請求項１〜３のいずれか１項に記載の集積機。
【請求項５】
紙幣等の有価証券の束を集積するマガジンを有する第１及び第２回転ドラムに交互に供給される少なくとも一つの配送ラインを含み、各前記マガジンが、前記回転ドラムの各マガジンの底部を同一位置になるように前記底部を等位移動させるリングを介して可動する底部を有し、各前記回転ドラムの各マガジンの個別底部の独立移動を可能にし、かつ各前記マガジンの底部の位置を前記リングとは独立にそれぞれ個別に設定できるようにした作動機構を更に含む集積機によって、通し番号を付ける有価証券等の証券の束を集積する方法であって、
前記マガジンの底部を最上位置まで移動させる工程、
前記配送ライン上から連続して継続的に到着する証券の束を前記マガジンに供給する工程、
所定数の証券の束が前記マガジンに集積されるまで各連続的証券の束を収集し、その後に前記マガジンの底部を下降移動させる工程、
前記回転ドラムを回転させて、次のマガジン位置において証券の束を集積する工程、および
前記マガジンが排出位置になったときに、所定数の束が入ったマガジンの排出を行う工程を含む集積方法。
【発明の詳細な説明】
【技術分野】
【０００１】
本発明は、シート状基材を積層する装置に関する。
本発明は、シート状基材を集積するのに適した方法にも関する。
このような装置と方法は、紙幣等の番号の付いた有価証券のための印刷機械技術において公知である。
【背景技術】
【０００２】
例えば、その内容が本出願に参考として組み込まれる米国特許第５６２６００５号は、有価証券の束から複数の証券群即ちパック（ｐａｃｋ）を作り出す装置を開示している。この装置は、証券のシートを積み重ねから出発して証券のＮ個の束をＮ個の所定の束位置まで次々に前進させる真っ直ぐな搬送セクションを含む配送装置を有する。この搬送セクションの下には、前記束位置の下に位置する垂直な仕切り部屋の形状のＮ個のマガジンが存在している。すべての束位置が証券の束で占められると、ベースが降下して、Ｎ個の全束が同時にＮ個の連続的マガシン部屋内に落下する。ベースが閉ざされた後、次のＮ個の束がそれぞれの束位置における搬送経路上を通り、ベースが開いた後に第２の層としてマガジン内に落下する。相互に重なった証券の所定の数の束によるパックがマガジン内に形成されると、パックはスライドによって、マガジンから次の処理のためにマガジンの隣に設けられている搬送セクション上に押し出される。
【０００３】
個々の有価証券をパックにする他の類似した方法と装置が、米国特許第４４６３６７７号、米国特許第４６５３３９９号、米国特許第４５５８６１５号、英国特許出願第２６２７９２号によって知られている。
【０００４】
これらの機械の開発において、束を形成するために集積ドラムが用いられてきた。こうした開発は、例えば、その内容が参考として本出願に組み込まれている米国特許第３９３９６２１号及び第４４５３７０７号に開示されている。特許第３９３９６２１号においては、番号の付けられた紙幣が印刷されたシートのパイルが束に切断され、これらの束がロータリードラム式束集積装置のマガジンに積み重ねられて、紙幣が番号順に揃えられたパックを形成している。これらのパックは連続オーディネーターにおいて包装され、揃えられる。集積装置に配送される際に、予めマークを付けられている不良紙幣を含んだ束が見つけられ、排除される。不良紙幣は交換ステーションにおいて交換され、束が作り直される。集積装置内に正しい連鎖を維持するように、ダミーの束が配送ラインに残された隙間に挿入され、集積装置の出口において取り除かれて、作り直された各束に置き換えられる。この集積プロセスにおいて、一旦切断されてまとめられた束は、配送ヘッドによって、二つの集積ドラムで形成された集積装置に供給され、一つのドラムが充填されると、次の束は他方のドラムに供給されてこれを満たし、一方、満杯になったドラムは空にされるようになっている。各ドラムは、１シート当たりの印刷紙幣の枚数、例えばこの特許の例では２４枚と同じ数の紙幣用マガジンを有している。したがって、一つの同じ積層シートからの２４個の束が、一方のドラムの２４個のマガジンのそれぞれに順次に置かれる。継続積層シートからの束であってシート上の所与の紙幣位置に対応する束は、すべて、ドラムの一つの所与のマガジン内に積層されるように、各ドラムは回転する。例えば、各マガジンには、紙幣の１０個の束が積層されて、その中のすべての紙幣が１０個の継続積層シート上の所与の位置から発生してパックを形成する。番号付け機械においては、連続するシートの同じ紙幣位置は連続して番号を付けられるので、すべての束とパックの紙幣は順次に番号を付けられる。
【０００５】
米国特許第４４５３７０７号から知られているように、一般的に印刷された有価証券に連続番号を印刷するように構成された番号付け機械の下流側には、それぞれが１００枚のシートからなるパイルが形成されて、これらのパイルが切断されると、それぞれ１００枚ずつの有価証券からなる束が得られるようになっている。そして、全部で１０００枚の連続的に番号付けされた有価証券からなる１０個の束が自動的に集められて、１０００枚の有価証券の一つのパックを形成する。しかし、同じシート上に印刷されたすべての有価証券は、異なるシリーズに属しており、シートの同じパイルに載せられている紙幣は各シリーズにおける通し番号を付けられているので、機械を出て行く型式に切断された有価証券の束は、パッキング作業の前に各パックに分類されなければならない。この分類作業の際に、１０個の積層シートのすべての第１の束は連続して積み重ねられ、次にこれらの１０個のパイルのすべての第２の束及びそれ以降の束も同様に重ねられて、結局、それぞれが１０００枚の通し番号を付けられた有価証券を含んだパケットを形成する。各パックは１０個の束を含んでいる。
【０００６】
自動移転・分類プロセスは、二つの貯留マガジン・ドラムを具えた中間貯留装置を用いている。一つのマガジン・ドラムは、それが充填されるまで束で満たされ、次いで他方のドラムが満たされ、一方、最初のドラムは段々に束を排出する。自動配送装置は二つのドラムの上流側に設けられ、到来する束を第１ドラムの方に向かわせ、第１ドラムが充填されると第２ドラムの方に向かわせ、これによって第１ドラムからの排出を可能にする。
【０００７】
この装置とこの方法は、前述の番号付与方法のように、個々の印刷物、即ち有価証券がシートの同じ紙幣位置に通し番号を付けられる番号付与方法に特に有用である。
【０００８】
従来技術において用いられている別の番号付与方法では、通し番号付けが、１００枚のシートの連続するパイルの同じ紙幣位置ではなくて、１００枚のシートの積み重ね層の隣りの紙幣位置で行われる。この方法は、例えば、その内容が参考として本出願に組み込まれているヨーロッパ特許出願０５９８６７９号に開示されている。この文献によれば、マトリックス状にＣ列、Ｌ行で配列されたＮ枚の紙幣からなるシートの場合、１００枚のシートからなる一つのパイルの１００枚の紙幣は同じ位置（Ｃ１；Ｌ１）に通し番号を付けられ、通し番号を付けられる次の１００枚の紙幣は次の１００個の積層シートの同じ位置（Ｃ１；Ｌ１）ではなく、同じ積層シートの隣の位置（例えばＣ１；Ｌ２）に通し番号を付けられる。したがって、１００枚の紙幣の連続するパイルを集めて、連続番号を付けられた１０００枚の紙幣のパックを形成するには、前述の従来技術に示されているように、１００枚のシートからなる所与のパイルから連続する紙幣パイルが、ドラムの異なるマガジンではなく、同じマガジンに順次に集められなければならない。
【０００９】
したがって、集められる印刷物、例えば紙幣に番号を付ける方法に対応して、番号を付けられる紙幣を連続的に適正に集めるために、異なる集積機と方法を使用する必要がある。
【００１０】
【特許文献１】米国特許第５６２６００５号
【特許文献２】米国特許第４４６３６７７号
【特許文献３】米国特許第４６５３３９９号
【特許文献４】米国特許第４５５８６１５号
【特許文献５】英国特許出願第２６２７９２号
【発明の開示】
【発明が解決しようとする課題】
【００１１】
本発明の目的は、従来の集積機と方法を改良することにある。
本発明の目的は、異なる番号付与方法に使用可能な集積機を提供することである。
本発明のもう一つの目的は、既存の機械を更新することが可能なシステムを提供することである。
本発明の別の目的は、通し番号を付与される物体の集積方法を提供することである。
【課題を解決するための手段】
【００１２】
この目的を達成するための手段は、特許請求の範囲の記載に従う。
【００１３】
即ち、課題を解決するための本発明による集積機は、通し番号を付けた有価証券等の証券の束を集積する機械であって、前記証券の束を集積するマガジンを有する第１及び第２回転ドラムに交互に供給される少なくとも一つの配送ラインを含み、各前記マガジンはリングを介して可動する底部を有し、前記リングは前記ドラムの各マガジンの底部が同一位置になるように前記底部を等位移動させる構成であり、前記集積機は、各前記ドラムの各マガジンの底部の独立移動を可能にして、各前記マガジンの底部の位置を前記リングとは独立に個別に設定するように構成された作動機構を更に含むことを特徴とする。
【００１４】
好適形態において、前記作動機構は、ベルトを介してプッシャを作動させる少なくとも一つのモーターを含み、前記プッシャは前記マガジンの底部と共働し、前記ベルトを介して前記プッシャを移動することにより前記ドラムのマガジンの底部を移動させるように構成されている。
【００１５】
好適形態において、各前記ベルトを介して各前記プッシャをそれぞれが駆動する二つのモーターを含み、それぞれのキャリアとベルトを有する一方のモーターは前記第１ドラムのマガジンの底部を駆動し、それぞれのキャリアとベルトを有する他方のモーターは前記第２ドラムのマガジンの底部を駆動するように構成されている。
【００１６】
好適形態において、前記プッシャは、スリットを有するガイド機構に装着されている。
【００１７】
本発明は更に有価証券等の証券の束を集積する方法を提供し、この方法は、有価証券等の証券の束を集積するマガジンを有する第１及び第２回転ドラムに交互に供給する少なくとも一つの配送ラインを含み、各前記マガジンが、前記ドラムの各マガジンの底部を同一位置になるように前記底部を等位移動させるリングを介して可動する底部を有し、各前記ドラムの各マガジンの個別底部の独立移動を可能にし、かつ各前記マガジンの底部の位置を前記リングとは独立にそれぞれ個別に設定できるようにした作動機構を含む集積機によって、通し番号を付ける有価証券等の証券の束を集積する方法であって、前記マガジンの底部を最上位置まで移動させる工程、前記配送ライン上から連続して継続的に到着する証券の束を前記マガジンに供給する工程、所定数の証券の束が前記マガジンに集積されるまで各連続的証券の束を収集し、その後に前記マガジンの底部を下降移動させる工程、前記ドラムを回転させて、次のマガジン位置において証券の束を集積する工程、および前記マガジンが排出位置になったときに、所定数の証券の束が入ったマガジンの排出を行う工程を含むことを特徴とする。
【発明を実施するための最良の形態】
【００１８】
本発明は、図面を参照することにより更に明瞭に理解されるであろう。
図１において、集積機は、米国特許第３９３９６２１号に開示されている機械に対応するものが示されている。この機械の構成において、継続シートの印刷物即ち証券に番号を付与する方法は継続シートの同じ証券位置に存在する証券に通し番号を付与するのに使用される方法が想定されており、通し番号は継続シート上で連続する。即ち、各ドラム１、２は、一シート上の証券位置と同数のマガジン３を具えている。上述の従来技術から知られているように、通し番号を付けた証券によるパック（ｐａｃｋ）を形成するために、積層シートの同じ位置（例えば：各シート上にマトリックス状に配置された印刷物に付けられたＣ１；Ｌ１）に由来する証券の束４は、ドラムの同じマガジン内に置かれなければならない。図１の構成において、（例えば１００枚のシートで構成された）同一積層シートに由来するすべての束は、切断された後に、ドラム１に送られるコンベア５上に、順次、搬送される。コンベア５に最初に到着した束４は、ドラム１の第１マガジン３に入れられ、次いでドラム１がコンベアに対してマガジン一つ分だけ回転し、コンベア５に到着した次の束４は次のマガジン３に入れられ、所与の積層シートからすべての束が各マガジンに入るまで、これが繰り返される。マガジンの数はシート上の証券の数に等しいので、所与の積層シートに由来するすべての束がドラム１の各マガジン３の中に入れられると、ドラム１は再び第１マガジン３に次の束４を受けるように位置決めされ、次の積層シートの最初の束４がこのマガジン３に入れられる。そして、ドラム１のすべてのマガジン３に所定数の束４、例えば１００枚の証券からなる１０個の束４が充填されるまで、このプロセスが繰り返される。この時点で、ドラム１は満杯になり、到来した次の束４はコンベア６を備えた第２ドラム２のマガジン３に供給され、一方、ドラム１は空にされる。
【００１９】
各マガジン３が同数の束４を収容しなければならないので、このプロセスの実行を可能にするためには、ドラム１又は２のすべてのマガジン３の底部は、束４が集積される際に同じ位置になければならない。図２に示されているように、集積される際に各マガジン３の底部８を直角に位置決めするのに、リング７が用いられる。コンベア５からマガジン３へその最上部から中に押し込まれる束４が長い距離を落下して、マガジン３内で誤配置される危険を少なくするように、このリング７はこれらの底部８を同じ位置に保つ。図４に示されているように、この束はコンベア５からプッシャ９によって押されて、マガジン３内に落下する。すべてのマガジン４が束４で充填されると、このリング７はほぼ束の高さから下方に移動して、次の一連の束４がドラムに供給される。すべてのマガジン３が充填されると、リング７は図２に点線で示されているように、最下位置に達する。
【００２０】
前述のように、図１と図２に開示された集積機は、継続シートの同じ位置に証券の通し番号を付与する上述の印刷物の一つの番号付け方法のみに使用できるものである。
【００２１】
ヨーロッパ特許出願第０５９８６７９号に開示されている技術に使用されている他の番号付け方法において、一連の通し番号を付与された証券は、継続積層シートの同じ位置の連続した束を集積することによって積層シート内に形成される。そこで、集積機を使用する場合、コンベア上に到着した継続束をドラムの連続する各マガジン内ではなく、所望数の束がマガジン内に集積されるまで、ドラムのマガジン内に集積できなければならない。
【００２２】
この集積プロセスを実行可能な集積機が、図３〜図６を参照して説明される。図３において、この代表的な集積機は図１の機械と似ている。これは束１４を集積するマガジン１３を有する二つのドラム１１と１２を具え、これらの束はコンベア１５、１６によって運ばれる。上述の番号付け方法によって、コンベア１５上の継続束１４、例えば１０個の連続する束１４は、ドラム１１の位置Ａにおいて同じマガジン１３に集積されなければならず、したがってドラム１１はこの集積作業の際に、一つの束１４を集積する毎に移動するのではなく、同じ位置に留まっていなければならない。このプロセスを実行するために、各マガジン１３がコンベア１５上の継続束１４によって別々に充填されるので、継続束１４を受ける場合にマガジン１３の底部１８は、それぞれが独立に移動することが必要である。これを達成するために、この機械は図４〜図６に示された付加的作動機構を具えている。この機構は、ドライバ２２を介して独立してマガジン１３の底部１８を移動させるベルト２１を駆動し、一方で束１４をコンベア１５からプッシャ１９によって押してマガジン１３内に集積するための少なくとも一つのモーター２０を具えている。図４に示されているように、二つのマガジン１３は束１０を集積し、一方のマガジン１３は集積位置（図３の位置Ａに対応する）にあって、コンベア１５からの最初の束１４を受ける。
【００２３】
このマガジンが所定数の束（例えば１０個）を受け、一方でドラム１１が次の空のマガジン１３を位置Ａに運ぶように回転すると、到着する引き続く束１４はコンベア１６によってドラム１２へ誘導され、かつ位置Ｂで同様にドラム１２のマガジン１３に集積される。これらのマガジン１３はドラム１１とドラム１２において交互に充填される。
【００２４】
集積機は更にリング１７（図４）を含み、前述のように従来と同様に使用され得る。本発明の集積機は、リング７（又は１７）を介して底部８、１８相互が連携して移動し、或いは付加的作動機構によって底部８、１８相互がそれぞれ独立して移動することによって上述の両方の番号付け方法のいずれかに使用することができる。
【００２５】
図３に示されているように、位置ＡとＢは各ドラム１１と１２内の束１４の集積位置であり、位置ＣとＤは各ドラム１１と１２の各マガジン１３に集積された束を排出する位置に対応している。
【００２６】
図５は、本発明の付加的作動機構を更に詳しく示している。この図において、便宜上、ドラム１１は右側にあり、ドラム１２は左側にあるように表されている。
【００２７】
この機械は、各ドラム１１、１２のために、図２と図４のリング７、１７に対応するリング１７、１７′を具えている。マガジン２６は図３の位置Ｂのマガジン１３に対応し、マガジン２７は図３の位置Ａのマガジン１３に対応している。
【００２８】
図５に表されているように、両方のマガジン２６、２７は、軸３０、３１が装着されている延長部２８と２９を有する。各ドラム１１、１２の中心に向って対面する延長部２８、２９の側面には、二つの軸受３２、３３が前記軸３０、３１に装着され、各ドラムのリング１７、１７′上で回転してドラムの回転を可能にし、一方、マガジンの底部の位置はこれらのリング１７、１７′によって設定されるようになっている。
【００２９】
両方の軸３０と３１の他方の端３４、３５は、マガジン２６、２７の間に装着された二つのプッシャ２２、２３と連携するように延長部２８、２９から突出している。これらのプッシャ２２、２３は別々に駆動され、マガジン２６、２７の底部１８、１８′を別々に移動させるのに使用される。この図に示されているように、これらの底部１８、１８′はリング１７、１７′を介して移動し、ドラム１１又は１２のすべての底部１８、１８′が同じ位置になるようにされるか、或いは底部１８、１８′がプッシャ２２、２３によって移動し、次いでマガジン２６、２７の各底部１８、１８′が、同じドラム１１又は１２のその他のマガジン２６、２７の底部１８、１８′の位置とは別個の所望位置になるようにされる。したがって、軸３０、３１の突出端３４、３５と連携するプッシャ２２、２３を追加することによって、同じ集積機を前述の二つの異なった番号付与方法に使用することが可能になる。
【００３０】
プッシャ２２、２３を案内するために、スリット３７、３８を有するガイド機構３６がドラム１１、１２の間で集積機に装着され、使用時にプッシャ２２、２３がこのガイド機構３６に沿って案内される。
【００３１】
リング１７、１７′が使用されない場合、プッシャ２２、２３を介して底部１８、１８′を駆動するのに用いられる機構が、図６に詳しく示されている。この機構は、各プッシャ２２、２３に対して一つのモーター２０を含み、このモーターはロール４０、４１及び４２に沿って走行するベルト２１を具えている。ベルト２１はプレート４４等によって位置４３で各プッシャ２２又は２３に取付けられ、前述のように、束１４がマガジン１３に集積される時に、プッシャ２２、２３、したがってマガジン２６、２７の底部を上昇させ、図４に示されているように、束が同一積層シートにおいて連続的に通し番号を付けられる場合には、束１４を集積する時に下降させる。更に、ベルト２１の張力を調節するために、ベルトスパナ４５が使用される。
【００３２】
好ましくは、使用されるモーター２０は同期電動機である。
【００３３】
図５に示されているように、リング１７、１７′又はプッシャ２２、２３によって底部１８、１８′が変位する際に、底部１８、１８′は、対応するガイドピン７０〜７７を介してスリット６１、６２、６３、６４によってマガジン２６、２７の背部５６、５７上を案内される。
【００３４】
通し番号を付けられた紙幣等の有価証券の束を集積するこのプロセスは、証券の束が集積されたマガジンを有する第１及び第２のドラムに交互に供給する少なくとも一つの配送ラインを使用している。このプロセスは次の工程からなる。
・マガジンの底部を最上位置まで移動し、
・配送ライン上に連続して継続的に到着する束を前記マガジンに供給し、
・所定数の束がこのマガジンに集積されるまで各連続束を収集し、その後に前記マガジンの底部を下降させ、
・ドラムを回転させて、次のマガジン位置において束を集積し、かつ最後に
・マガジンが排出位置になったときに、所定数の束が入った前記マガジンの排出を行う。
【００３５】
このようにして、所定数の束によって形成された複数のパックが、通し番号を付与された印刷物即ち有価証券で構成される。
【００３６】
勿論、ここに述べられた機械とプロセスの実施形態は非限定的な実施例であり、同等な手段による改変は特許請求の範囲を逸脱することなく可能である。
【図面の簡単な説明】
【００３７】
【図１】集積機の上面図を概略的に示す。
【図２】図１の集積機の部分側面図を概略的に示す。
【図３】本発明による集積機の形態を概略的に示す。
【図４】本発明による集積機の部分側面を概略的に示す。
【図５】本発明による作動機構の前面図を示す。
【図６】本発明による作動機構の一部の側面図を示す。
【図７】本発明による集積機のブロック図を示す。
【符号の説明】
【００３８】
４，１４    有価証券等の証券束
１，２，１１，１２    回転ドラム
３，１３，２６，２７    マガジン
５，６，１５，１６    配送ライン
７，１７，１７′    リング
２０    モーター
２１    ベルト
２２，２３    プッシャ
３７，３８    スリット
【図１】
2006001746.tif 000003
【図２】
2006001746.tif 000004
【図３】
2006001746.tif 000005
【図４】
2006001746.tif 000006
【図５】
2006001746.tif 000007
【図６】
2006001746.tif 000008
【図７】
2006001746.tif 000009